(57)【要約】【課題】壁面収納パネルを壁面に容易に取付することが可能であり、かつ、メンテナンスが容易な壁面収納パネル取付構造、壁面収納パネル取付方法を提供する。【解決手段】壁面に壁面収納パネルを取り付けた壁面収納パネル取付構造であって、前記壁面には支持部材が固着され、前記壁面収納パネルは、前記壁面に平行に取り付けられる板状部と、該板状部の一面から突出する棚部と、を有し、前記板状部の前記壁面に対向する他面のうち、少なくとも取付時に上側となる上辺には、前記他面から前記壁面に向けて延びるリブが一体に形成され、該リブが前記支持部材に接するように、前記支持部材と前記壁面収納パネルとが係止されていることを特徴とする。【選択図】図２
2020051135.tif 000002
【特許請求の範囲】
【請求項１】
壁面に壁面収納パネルを取り付けた壁面収納パネル取付構造であって、
前記壁面には支持部材が固着され、
前記壁面収納パネルは、前記壁面に平行に取り付けられる板状部と、該板状部の一面から突出する棚部と、を有し、
前記板状部の前記壁面に対向する他面のうち、少なくとも取付時に上側となる上辺には、前記他面から前記壁面に向けて延びるリブが一体に形成され、該リブが前記支持部材に接するように、前記支持部材と前記壁面収納パネルとが係止されていることを特徴とする壁面収納パネル取付構造。
【請求項２】
前記リブは、前記板状部の他面の周縁全体に沿って形成されていることを特徴とする請求項１記載の壁面収納パネル取付構造。
【請求項３】
前記板状部と前記棚部とは一体に形成されていることを特徴とする請求項１または２記載の壁面収納パネル取付構造。
【請求項４】
前記壁面収納パネルには、前記一面に鏡を取り付ける鏡係止具が形成され、前記壁面収納パネルの前記他面と前記壁面との間で、前記鏡係止具に重なる位置には、鏡係止具取付下地材が配されることを特徴とする請求項１ないし３いずれか一項記載の壁面収納パネル取付構造。
【請求項５】
壁面に壁面収納パネルを取り付ける壁面収納パネル取付方法であって、
前記壁面収納パネルは、前記壁面に平行に取り付けられる板状部と、該板状部の一面から突出する棚部と、を有し、前記板状部の前記壁面に対向する他面のうち、少なくとも取付時に上側となる上辺に、前記他面から前記壁面に向けて延びるリブが一体に形成されており、
前記壁面に支持部材を固着させる支持部材固着工程と、
前記リブを前記支持部材に引っ掛けるように、前記支持部材と前記壁面収納パネルとを係止されるパネル係止工程と、を備えたことを特徴とする壁面収納パネル取付方法。
【発明の詳細な説明】
【技術分野】
【０００１】
本発明は、壁面に壁面収納パネルを取り付けた壁面収納パネル取付構造、および壁面収納パネル取付方法に関する。
【背景技術】
【０００２】
例えば、浴室、洗面所などの水回りには、石鹸、ブラシ、整髪用品などを収納するための収納設備が備えられていることが一般的である。こうした水回りに設置する収納設備としては、壁面から突出する棚や収納ポケットなどを有するものが多い。また、鏡などを取り付け可能にしているものもある。
【０００３】
従来、こうした水回りに設置される収納設備として、例えば、特許文献１には、水栓を取り付け可能な浴室収納パネルが開示されている。また、特許文献２には、複数の収納棚を備えた浴室収納部材が開示されている。
【先行技術文献】
【特許文献】
【０００４】
【特許文献１】特開平０８−１０３３９４号公報
【特許文献２】特開２０１５−１８１７５０号公報
【発明の概要】
【発明が解決しようとする課題】
【０００５】
しかしながら、特許文献１に記載された浴室収納パネルや、特許文献２に記載された浴室収納部材は、いずれも取付対象の壁面、例えば浴室壁やユニットバスの内壁に大掛かりな取付工事を行うことが必要であり、また、構成が複雑で凹凸が多く、汚れが堆積しやすく清掃がしにくいという課題があった。
【０００６】
この発明は、前述した事情に鑑みてなされたものであって、壁面収納パネルを壁面に容易に取付することが可能であり、かつ、メンテナンスが容易な壁面収納パネル取付構造、壁面収納パネル取付方法を提供することを目的とする。
【課題を解決するための手段】
【０００７】
上記の課題を解決するために、本発明の壁面収納パネル取付構造は、壁面に壁面収納パネルを取り付けた壁面収納パネル取付構造であって、前記壁面には支持部材が固着され、前記壁面収納パネルは、前記壁面に平行に取り付けられる板状部と、該板状部の一面から突出する棚部と、を有し、前記板状部の前記壁面に対向する他面のうち、少なくとも取付時に上側となる上辺には、前記他面から前記壁面に向けて延びるリブが一体に形成され、該リブが前記支持部材に接するように、前記支持部材と前記壁面収納パネルとが係止されていることを特徴とする。
【０００８】
本発明の壁面収納パネル取付構造によれば、壁面に支持部材を取り付け、この支持部材に対して、棚部が形成された壁面収納パネルを固定するだけで、壁面収納パネルを壁面に取り付けることができる構成であるから、例えば、浴室壁やユニットバスの内壁などの壁面に大掛かりな取付工事を行うことなく、容易に、かつ低コストに壁面収納パネルを設置することが可能になる。こうした壁面収納パネル取付構造は、壁面の仕様が個別に異なるリフォームなどにおいて、特に好適に適用することができる。
【０００９】
また、支持部材は、壁面収納パネルの取付後に、この壁面収納パネルの周縁から壁面方向に延びるリブによって、外部に露出しないように覆われるので、本発明の壁面収納パネル取付構造を水回りなどに適用すれば、壁面収納パネルの背面側に水垢などが発生しにくく、メンテナンスを容易にすることができる。
【００１０】
また、本発明では、前記リブは、前記板状部の他面の周縁全体に沿って形成されていてもよい。
【００１１】
また、本発明では、前記板状部と前記棚部とは一体に形成されていてもよい。
【００１２】
また、本発明では、前記壁面収納パネルには、前記一面に鏡を取り付ける鏡係止具が形成され、前記壁面収納パネルの前記他面と前記壁面との間で、前記鏡係止具に重なる位置には、鏡係止具取付下地材が配されていてもよい。
【００１３】
本発明の壁面収納パネル取付方法は、壁面に壁面収納パネルを取り付ける壁面収納パネル取付方法であって、前記壁面収納パネルは、前記壁面に平行に取り付けられる板状部と、該板状部の一面から突出する棚部と、を有し、前記板状部の前記壁面に対向する他面のうち、少なくとも取付時に上側となる上辺に、前記他面から前記壁面に向けて延びるリブが一体に形成されており、前記壁面に支持部材を固着させる支持部材固着工程と、前記リブを前記支持部材に引っ掛けるように、前記支持部材と前記壁面収納パネルとを係止されるパネル係止工程と、を備えたことを特徴とする。
【発明の効果】
【００１４】
本発明によれば、壁面収納パネルを壁面に容易に取付することが可能であり、かつ、メンテナンスが容易な壁面収納パネル取付構造、壁面収納パネル取付方法を提供することが可能になる。
【図面の簡単な説明】
【００１５】
【図１】本発明の第１実施形態の壁面収納パネル取付構造において壁面収納パネルを正面から見た時の平面図である。
【図２】本発明の第１実施形態の壁面収納パネル取付構造を示す断面図である。
【図３】壁面に支持部材を取り付けた状態を示す平面図である。
【図４】本発明の第１実施形態の壁面収納パネル取付構造における壁面収納パネルと壁面との係合部分を示す要部拡大断面図である。
【図５】本発明の第２実施形態の壁面収納パネル取付構造において壁面収納パネルを正面から見た時の平面図である。
【図６】本発明の第２実施形態の壁面収納パネル取付構造を示す断面図である。
【発明を実施するための形態】
【００１６】
以下、図面を参照して、本発明の実施形態の壁面収納パネル取付構造、壁面収納パネル取付方法について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１７】
（壁面収納パネル取付構造：第１実施形態）
図１は、本発明の第１実施形態の壁面収納パネル取付構造において壁面収納パネルを正面から見た時の平面図である。また、図２は、本発明の第１実施形態の壁面収納パネル取付構造を示す断面図である。
第１実施形態の本発明の壁面収納パネル取付構造に用いられる壁面収納パネル１０は、壁面１に取付けられるものであり、矩形平板状の板状部１１と、この板状部１１の一面１１ａから突出する複数の棚部１２，１２…と、板状部１１の他面１１ｂの周縁から突出するリブ１３と、を備えている。
【００１８】
壁面収納パネル１０は、これら板状部１１、棚部１２，１２…、およびリブ１３が、例えば樹脂によって一体に成形されている。壁面収納パネル１０を構成する樹脂としては、例えば、アクリル樹脂、ポリエステル樹脂、ポリスチレン樹脂、ＡＢＳ樹脂、メラミン樹脂なとが挙げられる。また、樹脂の厚みΔｔとしては、例えば、１ｍｍ〜５ｍｍ程度である。
【００１９】
板状部１１は、例えば矩形を成し、取付時に上下方向Ｙの上側となる部分、中間部分、および下側となる部分に、それぞれ取付穴１４が形成されている。こうした取付穴１４は、後述する支持部材２１に固定される取付ネジ１５を貫通させる。
【００２０】
こうした板状部１１の幅Ｌ１は、例えば４００ｍｍ〜８００ｍｍ程度、高さＬ２は、例えば６００ｍｍ〜１５００ｍｍ程度である。
【００２１】
棚部１２，１２…は、板状部１１の一面１１ａから直角を成す奥行方向Ｚに沿って手前側に突出し、幅方向Ｘに沿って延びるように形成されている。こうした棚部１２，１２…は、樹脂材がコ字状に屈曲された箇所であり、Ｒ面を介して板状部１１に連なっている。
【００２２】
棚部１２，１２…は、板状部１１の幅全体に延びているものや、板状部１１の幅の半分以下であるものなどを、適宜組み合わせて配されている。また、高さ位置の異なる部分を違い棚状にしたものであっても良い。
なお、棚部１２，１２…の上面は、水切りを良くするために、奥側から手前側に向けて緩やかに下がるように傾斜させることも好ましい。
【００２３】
リブ１３は、板状部１１の他面１１ｂから奥行方向Ｚに沿って壁面１に向けて延びる、即ち、板状部１１の周縁を壁面１に向けて屈曲させた部分である。こうしたリブ１３は、少なくとも、壁面収納パネル１０の取付時に上側となる板状部１１の上辺（周縁）に形成されていればよく、本実施形態では、板状部１１の周縁全周に形成されている。
【００２４】
リブ１３の長さＬ３は、後述する支持部材２１の厚みと同程度であればよく、例えば、５ｍｍ〜５０ｍｍ程度である。
【００２５】
支持部材２１は、壁面収納パネル１０を支持して壁面１に固定するための部材であり、例えば、図３に示すように、壁面収納パネル１０の取付前に予め壁面１に固定される。本実施形態では、壁面収納パネル１０の上側となる部分、中間部分、および下側となる部分にそれぞれ対応する位置に、支持部材２１ａ，２１ｂ，２１ｃを形成する。
【００２６】
支持部材２１は、壁面１に対して、例えば取付ネジ１６によって取り付けられる。なお、支持部材２１は取付ネジ１６以外にも、壁面１の材質などに応じて、例えば、接着剤や釘などによって壁面１に取り付けることもできる。
【００２７】
支持部材２１は、樹脂、例えば発泡樹脂、本実施形態では発泡ポリスチレンから形成されている。本実施形態では、支持部材２１は、幅方向Ｘに沿って延びる細長い直方体形状に形成されている。こうした支持部材２１の厚みＬ４（図４参照）は、壁面収納パネル１０のリブ１３の長さＬ３と同程度になるように形成される。これにより、壁面収納パネル１０の取付時にリブ１３の端部が壁面１から浮き上がらず、安定して壁面収納パネル１０を支持することができる。
【００２８】
図４は、壁面収納パネルと壁面との係合部分を示す要部拡大断面図である。
本実施形態の壁面収納パネル取付構造では、壁面収納パネル１０は、支持部材２１を介して壁面１に取付けられる。
なお、壁面１としては、例えば、浴室のタイル壁、ユニットバスの樹脂製の内壁、洗面所の合板壁など、各種壁面が挙げられる。支持部材２１を取り付け可能な壁面であれば、取付対象は特に限定されない。
【００２９】
こうした壁面１には、例えば取付ネジ１６によって、支持部材２１ａ〜２１ｃが取り付けられている。そして、上部の支持部材２１ａにリブ１３を引っ掛けるように、壁面収納パネル１０が取り付けられている。壁面収納パネル１０は、取付穴１４を介して取付ネジ１５によって、支持部材２１ａ〜２１ｃに固定される。これにより、壁面収納パネル１０は、支持部材２１ａ〜２１ｃを介して壁面１に固定される。
【００３０】
以上のように、本実施形態の壁面収納パネル取付構造では、壁面１に支持部材２１を取り付け、この支持部材２１に対して、棚部１２が形成された壁面収納パネル１０を固定するだけで壁面収納パネル１０を壁面１に取り付けることができる構成であるから、浴室壁やユニットバスの内壁などの壁面に大掛かりな取付工事を行うことなく、容易に、かつ低コストに壁面収納パネルを設置することが可能になる。こうした壁面収納パネル取付構造は、壁面の仕様が個別に異なるリフォームなどにおいて、特に好適に適用することができる。
【００３１】
また、支持部材２１は、壁面収納パネル１０の取付後に、この壁面収納パネル１０の周縁から壁面１方向に延びるリブ１３によって、外部に露出しないように覆われるので、本実施形態の壁面収納パネル取付構造を水回りなどに適用すれば、壁面収納パネル１０の背面側に水垢などが発生しにくく、メンテナンスを容易にすることができる。
【００３２】
（壁面収納パネル取付構造：第２実施形態）
図５は、本発明の第２実施形態の壁面収納パネル取付構造において壁面収納パネルを正面から見た時の平面図である。また、図６は、本発明の第２実施形態の壁面収納パネル取付構造を示す断面図である。なお、第１実施形態と同一の構成には同一の番号を付し、詳細な説明を省略する。
【００３３】
第２実施形態の壁面収納パネル取付構造における壁面収納パネル３０は、板状部１１と、この板状部１１の一面から突出する複数の棚部１２，１２…を備えている。本実施形態では、最上部および最下部の棚部１２，１２は、板状部１１の幅方向Ｘのほぼ全体に延びるように形成され、中間部分の棚部１２，１２…は、板状部１１の幅方向Ｘの半分程度になるように形成されている。
【００３４】
そして、壁面収納パネル３０には、鏡３１が設けられている。鏡３１は、例えば長方形板状を成し、上端および下端で鏡係止具３２，３２によって支持されている。鏡係止具３２，３２は、鏡３１の端部領域を挟持する略コ字状の部材である。
【００３５】
壁面収納パネル３０の他面３０ｂと壁面１との間で、鏡係止具３２，３２に重なる位置には、鏡係止具取付下地材３３，３３が配されている。そして、鏡係止具３２，３２は、鏡係止具取付下地材３３，３３に対して取付ネジ３４，３４によって固定されている。鏡係止具取付下地材３３，３３は、支持部材２１と同一の材料で、同程度の大きさに形成されていればよい。こうした構成によって、鏡３１を容易に壁面収納パネル３０に係止できる。
【００３６】
なお、支持部材２１を鏡係止具３２，３２に重なる位置まで延長させた形状にして、この支持部材２１に鏡係止具３２，３２を取付ネジ３４，３４によって固定させることもできる。
【００３７】
本実施形態の壁面収納パネル取付構造においても、壁面１に支持部材２１を取り付け、この支持部材２１に対して、棚部１２が形成された壁面収納パネル３０を固定するだけで壁面収納パネル３０を壁面１に取り付けることができる構成であるから、容易に、かつ低コストに壁面収納パネルを設置することが可能になる。
【００３８】
（壁面収納パネル取付方法）
第１実施形態の壁面収納パネル取付構造によって壁面収納パネルを取付ける際には、まず、図３に示すように、壁面１の所定位置に例えば取付ネジ１６によって固定する（支持部材固着工程）。
【００３９】
次に、図２に示すように、板状部１１の上辺のリブ１３を、上段の支持部材２１に引っ掛けるように、壁面１に壁面収納パネル１０を配置する。そして、壁面収納パネル１０の取付穴１４を介して取付ネジ１５によって壁面収納パネル１０を支持部材２１に固定させる（パネル係止工程）。
【００４０】
以上のように、本発明の壁面収納パネル取付構造による壁面収納パネル取付方法によれば、予め壁面１に支持部材２１を取り付けて、この支持部材２１に対して壁面収納パネル１０を固定するだけで、壁面収納パネル１０を容易に壁面１に取り付けることができる。これにより、取付対象の壁面に大掛かりな取付工事を行うことなく、容易に、かつ低コストに壁面収納パネルを設置することが可能になる。こうした壁面収納パネル取付方法は、壁面の仕様が個別に異なるリフォームなどにおいて、特に好適に適用することができる。
【００４１】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４２】
１…壁面
１０…壁面収納パネル
１１…板状部
１２…棚部
１３…リブ
【図１】
2020051135.tif 000003
【図２】
2020051135.tif 000004
【図３】
2020051135.tif 000005
【図４】
2020051135.tif 000006
【図５】
2020051135.tif 000007
【図６】
2020051135.tif 000008